(57)【特許請求の範囲】
【請求項１】
座と背もたれとが一体に連続した外観を成しており、
前記座は、上面にクッションが張られた樹脂製の座シェル板を有している一方、
前記背もたれは、前記座又はその下方に配置されたベースに後傾動可能に連結された背支持フレームに取り付けられていると共に、前面にクッションが張られた樹脂製の背シェル板を備えており、前記背シェル板は全体が一体構造になっているか、又は、上下複数のパーツに分割されて互いに連結されており、
前記座シェル板と前記背シェル板の下端とが左右端部のヒンジ部を介して繋がっており、前記ヒンジ部の変形により、前記背シェル板が前記座シェル板の後端に対して下降動することが許容されている構成であって、
前記座シェル板の後端と背シェル板の下端との間には、左右両端部が前後方向に長い平面視前向きに開口Ｕ字形又はコ字形のスリットが介在しており、前記座シェル板の後端と背シェル板の下端とは、前記スリットの前端部の外側に位置したヒンジ部を介して一体に繋がっており、前記ヒンジ部は前記座シェル板の後端よりも手前に位置している、
椅子。
【請求項２】
座と背もたれとが一体に連続した外観を成しており、
前記座は、上面にクッションが張られた樹脂製の座シェル板を有している一方、
前記背もたれは、前記座又はその下方に配置されたベースに後傾動可能に連結された背支持フレームに取り付けられていると共に、前面にクッションが張られた樹脂製の背シェル板を備えており、前記背シェル板は全体が一体構造になっているか、又は、上下複数のパーツに分割されて互いに連結されており、
前記座シェル板と前記背シェル板の下端とが左右端部のヒンジ部を介して繋がっており、前記ヒンジ部の変形により、前記背シェル板が前記座シェル板の後端に対して下降動することが許容されている構成であって、
前記背シェル板における下部の左右両側縁部には、当該背シェル板の下部を変形し難くするサイドリブが形成されている、
椅子。
【請求項３】
座と背もたれとが一体に連続した外観を成しており、
前記座は、上面にクッションが張られた樹脂製の座シェル板を有している一方、
前記背もたれは、前記座又はその下方に配置されたベースに後傾動可能に連結された背支持フレームに取り付けられていると共に、前面にクッションが張られた樹脂製の背シェル板を備えており、前記背シェル板は全体が一体構造になっているか、又は、上下複数のパーツに分割されて互いに連結されており、
前記座シェル板と前記背シェル板の下端とが左右端部のヒンジ部を介して繋がっており、前記ヒンジ部の変形により、前記背シェル板が前記座シェル板の後端に対して下降動することが許容されている構成であって、
前記座の下方に配置したベースに前記背支持フレームが後傾動自在に連結されており、前記座シェル板は、前記背支持フレームが後傾動すると後ろに引かれて後退動するように前記ベースに支持されている、
椅子。
【請求項４】
座と背もたれとが一体に連続した外観を成しており、
前記座は、上面にクッションが張られた樹脂製の座シェル板を有している一方、
前記背もたれは、前記座又はその下方に配置されたベースに後傾動可能に連結された背支持フレームに取り付けられていると共に、前面にクッションが張られた樹脂製の背シェル板を備えており、前記背シェル板は全体が一体構造になっているか、又は、上下複数のパーツに分割されて互いに連結されており、
前記座シェル板と前記背シェル板の下端とが左右端部のヒンジ部を介して繋がっており、前記ヒンジ部の変形により、前記背シェル板が前記座シェル板の後端に対して下降動することが許容されている構成であって、
前記背シェル板は、前記座シェル板に一体に繋がった下部背シェル板とその上に重ね配置された上部背シェル板とに分離構成されており、これら上部背シェル板の下端と下部背シェル板の上端とが連結されており、更に、前記上部背シェル板と下部背シェル板とはそれぞれ前記背支持フレームに取り付けられている、
椅子。
【発明の詳細な説明】
【技術分野】
【０００１】
本願発明は、背もたれと座とが連続した外観を成しているロッキング椅子に関するものである。
【背景技術】
【０００２】
背もたれと座とが連続した外観を成している椅子には、座シェル板と背シェル板とが一体に繋がっていて全体が露出したタイプと、座シェル板及び背シェル板にクッションを張ったタイプとがある。座シェル板と背シェル板とが露出したタイプは簡易構造であることが多く、ロッキング機能は備えていないことが多い。
【０００３】
他方、シェル板にクッションを張ったタイプはロッキング機能を備えたものが多く、その例が特許文献１，２に記載されている。このうち特許文献１の椅子は、背もたれの後傾動によって座も後傾動するようになっているが、座の後傾の度合いより背もたれの後傾の度合いを大きくするため、座シェル板と背シェル板との境界部にスリットを設けて、座シェル板と背シェル板との境界部が容易に変形するように設定している。
【０００４】
他方、特許文献２では、背もたれが後傾すると座は側面姿勢は殆ど変えずに若干ながら前進するように設定されており、そこで、背もたれの後傾動を許容するため、座シェル板と背シェルとに跨がって延びる２本のスリットを形成して、座シェル板と背シェルとの境界部が容易に変形するように設定している。
【先行技術文献】
【特許文献】
【０００５】
【特許文献１】特開昭６３−２３６２０号公報
【特許文献２】特許第２５９２１０８号公報
【発明の概要】
【発明が解決しようとする課題】
【０００６】
さて、特許文献１，２では、背シェル板は座シェル板との連接部の変形によって後傾するが、背シェル板を支持する背支持フレームの回動支点は背シェル板の下端よりも下方に位置しているのが普通であるため、背シェル板の後傾動を背支持フレームの後傾動に追従させることに限度があり、このため、後傾角度をあまり大きくすることができないという問題があった。すなわち、背シェル板は、その屈曲支点と回動支点とが相違するため、無理なくロッキングさせにくいのであった。特に、ロッキング時に座が後傾せずに後退動のみするか又は固定的である場合は、背シェル板を無理なく後傾させ難くなる。
【０００７】
本願発明はこのような現状に鑑み成されたものであり、背座一体方式の椅子であっても背もたれの後傾角度をできるだけ大きくして安楽性能を向上させようとするものである。更に、本願は椅子に関して改良された構成を多々含んでおり、これら改良された構成の提供も目的と成りうるものである。
【課題を解決するための手段】
【０００８】
【０００９】
本願発明の椅子は、
座と背もたれとが一体に連続した外観を成しており、
前記座は、上面にクッションが張られた樹脂製の座シェル板を有している一方、
前記背もたれは、前記座又はその下方に配置されたベースに後傾動可能に連結された背支持フレームに取り付けられていると共に、前面にクッションが張られた樹脂製の背シェル板を備えており、前記背シェル板は全体が一体構造になっているか、又は、上下複数のパーツに分割されて互いに連結されており、
前記座シェル板と前記背シェル板の下端とが左右端部のヒンジ部を介して繋がっており、前記ヒンジ部の変形により、前記背シェル板が前記座シェル板の後端に対して下降動することが許容されている、
という基本構成である。
【００１０】
そして、請求項１の請求項１の発明は、上記基本構成において、前記座シェル板の後端と背シェル板の下端との間には、左右両端部が前後方向に長い平面視前向きに開口Ｕ字形又はコ字形スリットが介在しており、前記座シェル板の後端と背シェル板の下端とは、前記スリットの前端部の外側に位置したヒンジ部を介して一体に繋がっており、前記ヒンジ部は前記座シェル板の後端よりも手前に位置している。
【００１１】
請求項２の発明は、上記基本構成において、前記背シェル板における下部の左右両側縁部には、当該背シェル板の下部を変形し難くするサイドリブが形成されている。請求項３の発明は、上記基本構成において、前記座の下方に配置したベースに前記背支持フレームが後傾動自在に連結されており、前記座シェル板は、前記背支持フレームが後傾動すると後ろに引かれて後退動するように前記ベースに支持されている。
【００１２】
請求項４の発明は、上記基本構成において、前記背シェル板は、前記座シェル板に一体に繋がった下部背シェル板とその上に重ね配置された上部背シェル板とに分離構成されており、これら上部背シェル板の下端と下部背シェル板の上端とが連結されており、更に、前記上部背シェル板と下部背シェル板とはそれぞれ前記背支持フレームに取り付けられている。
【発明の効果】
【００１３】
本願各発明では、背シェル板は座シェル板の後端に対して相対的に下降動するため、背支持フレームの後傾中心（回動支点）を背シェル板の後端よりも下方（或いは手前）に位置させても、背もたれを無理なくロッキングさせることができる。すなわち、座と背もたれとの一体性を保持しつつ、背もたれをできるだけ大きな角度で無理なく後傾させ得るのであり、これにより、背座一体方式の椅子の快適性を向上できる。
【００１４】
座シェル板と背シェル板とは別体に製造してピン等で連結することも可能であるが、請求項１のように、座シェル板と背シェル板の下端とを一体に繋がった構成（すなわち、少なくとも背シェル板の下部と座シェル板とを一体成形した構成）を採用すると、部材管理の手間を軽減できると共に連結作業の手間を省くことができる利点がある。また、ヒンジ部は座シェル板の後端より手前に位置しているため、背シェル板の少なくとも下部と座シェル板とを一体の成形品としつつ、ロッキングに際して背シェル板が座シェル板に対して下降動することを確実化できる。
【００１５】
さて、少なくとも背シェル板の下部と座シェル板とを一体成形した場合、背もたれが人のもたれ掛かりによって容易にねじれ変形すると身体の安定性が損なわれると共に、ヒンジ部にも過大な負荷が掛かって破断しやすくなるおそれがある。この点、請求項２の構成を採用すると、サイドリブの存在によって背もたれの形状保持性が高くなるため、身体の支持安定性を確保できると共に、ヒンジ部等にねじりのような外力が作用することを抑制して耐久性を向上できる。
【００１６】
座はロッキング時に動かない固定式とすることも可能であるが、請求項３のように背もたれの後傾動に連動して後退する連動方式を採用すると、ロッキング時の身体の伸びを抑制して安楽性を向上できる利点がある。
【００１７】
背シェル板の全体と座シェル板とを一体成形することも可能であるが、この場合は非常に大きな成形機が必要になるため、コストが嵩むと共にタイムリーに製造できない可能性がある。これに対して、請求項４のように背シェル板を上下に分割して製造すると、広く普及している成形機を使用して製造できるため、製造コストを抑制することやタイムリーな製造が可能になる。また、上部背シェル板の高さを変えたものを複数種類用意しておくことにより、背もたれの高さの変更に簡単に対応できる利点もある。
【００１８】
また、上下に分割された背シェル板はそれぞれ背支持フレームに取り付けられているため、上下背シェル板の連結部に過大な負荷がかかることはなくて、上下背シェル板を分割成形したことに起因して強度が低下する問題は生じない。更に、ロッキングに際しては、上下背シェル板がそれぞれ背支持フレームと一緒に後傾するため、ロッキングに際しての背シェル板の一体性も確保されており、従って、上下背シェル板が相対動して使用者に違和感を与えるような問題も皆無になる。
【図面の簡単な説明】
【００１９】
【図１】実施形態に係る椅子の外観を示す図で、（Ａ）は正面図、（Ｂ）は側面図、（Ｃ）は平面図、（Ｄ）は背面図、（Ｅ）は部分的な斜視図である。
【図２】（Ａ）は全体の分離斜視図、（Ｂ）はベースをひっくり返した状態での分離斜視図である。
【図３】（Ａ）は椅子の主要部の一部省略斜視図、（Ｂ）はクッションの分離斜視図である。
【図４】座を中心にした部分の側断面図である。
【図５】主としてクッションの配置関係を示す断面図である。
【図６】縦断側面図である（座はレール部材の箇所で切断している。）。
【図７】（Ａ）は図４の部分拡大図、（Ｂ）はレール部材と背支持フレームとの連結状態を示す断面図、（Ｃ）は（Ｂ）のＣ−Ｃ視断面図である。
【図８】（Ａ）はレール部材を中心した部分の分離斜視図、（Ｂ）は座の支持部材の斜視図である。
【図９】（Ａ）は座シェル板及び下部背シェル板の斜視図、（Ｂ）は背支持フレームの部分斜視図、（Ｃ）はベースの部分斜視図、（Ｄ）は組み立てた状態を（Ｃ）のＤ−Ｄ視方向から見た断面図である。
【図１０】（Ａ）は図６の XA-XA視断面図、（Ｂ）は図６の XB-XB視断面図である。
【図１１】図６の XI-XI視断面図である。
【図１２】レール部材の取り付け手順を示すための分離側面図である。
【図１３】（Ａ）は座シェル板をひっくり返した状態での分離斜視図、（Ｂ）は図９（Ｄ）の XIIIB-XIIIB視断面図、（Ｃ）は表皮材の展開状態での概略平面図である。
【図１４】シェル板を後ろから見た分離斜視図である。
【図１５】（Ａ）は背シェル板の分離正面図、（Ｂ）は連結状態での（Ａ）のＢ−Ｂ視断面図、（Ｃ）は連結状態での（Ａ）のＣ−Ｃ視断面図、（Ｄ）は連結状態での（Ａ）のＤ−Ｄ視断面図である。
【図１６】（Ａ）は上部背シェル板と補強板と背支柱との締結部の断面図、（Ｂ）は（Ａ）の箇所での上部背シェル板の断面図である。
【図１７】（Ａ）はシェル板とクッションとの関係を示す分離正面図、（Ｂ）は下部背シェル板の下端部を中心にした縦断正面図、（Ｃ）は縁部材の係止状態を示す縦断面図である。
【図１８】動きを説明するための概略断面図である。
【発明を実施するための形態】
【００２０】
次に、本願発明の実施形態を図面に基づいて説明する。以下の説明では方向を特定するため「前後」「左右」の文言を使用するが、この文言は椅子に普通に着座した人の向きを基準にしている。但し、正面視は着座した人と対向した方向をいう。「内」「外」の文言も使用するが、正面視で椅子の中心を向いた方向を内向きとし、正面視で椅子の中心から左右外側を向いた方向を外向きとしている。
【００２１】
(1).椅子の概要
まず、図１〜図６に基づいて椅子の概要を説明する。本実施形態は回転椅子に適用しており、椅子は、図１に示すように、座１と背もたれ２とが一体に連続した身体受け部３と、脚支柱４を有する脚装置５と、脚支柱４の上端に取り付けたベース６と、ベース６に後傾動自在に連結した背支持フレーム７とを有している。脚装置５は放射方向に延びる枝足を有しており、各枝足の先端にはキャスタを設けている。ベース６と背支持フレーム７とはアルミダイキャスト品又は樹脂成形品である。
【００２２】
図２，３から理解できるように、身体受け部３は、シェル板とこれに一体成形したクッションとを有している。シェル板は、座１を構成する座シェル板８と、座シェル板８の後部に一体に繋がった下部背シェル板９と、下部背シェル板９とは別体の上部背シェル板１０とを有しており、上部背シェル板１０の下端部が、下部背シェル板９の上端部に連結されている。従って、上下の背シェル板９，１０によって、背もたれ２のシェル板が構成されている。シェル板８，９，１０は、樹脂の成形品である。
【００２３】
なお、背シェル板について使用する「下部」「上部」の文言は、上下に分かれている２つの要素を特定するために使用しており、高さ位置を特定するために使用しているのではない。従って、本実施形態のように、上部背シェル板１０で背もたれ２の大部分（７０〜８０％程度）が構成されている場合もあれば、下部背シェル板９で背もたれ２の大部分が構成されている場合もあるし、上下背シェル板９，１０が半分ずつ程度の高さになっている場合もあり得る。
【００２４】
図３（Ｂ）に示すように、クッションは、座シェル板８及び下部背シェル板９に対応した下部クッション１１と、上部背シェル板１０に対応した上部クッション１２とに分離構成されている。これらのクッション１１，１２は、それぞれシェル板８，９，１０にインサート成形されている。図５から理解できるように、下部クッション１１は、座シェル板８及び下部背シェル板９の表面の全体を覆うと共に、座シェル板８及び下部背シェル板９の終縁部の裏側まで巻き込むように成形されている。他方、上部クッション１２は、上部背シェル板１０の前面と後面との全体を包むように成形されている。
【００２５】
身体受け部３は一体構造の表皮材１３を有しており、表皮材１３のうち背もたれ２に位置した部位は、背シェル板９，１０及びその表裏のクッション１１，１２を上からすっぽり覆う袋状に形成されており、表皮材１３のうち座１に対応した部位は、座シェル板８の外周から下方内向きに巻き込まれている。
【００２６】
座シェル板８と下部背シェル板９とは、左右両端のヒンジ部１４を除いてスリット１５で分断されている。換言すると、座シェル板８と下部背シェル板９とは、左右両端のヒンジ部１４のみで一体に繋がっている。このため、下部背シェル板９は（背もたれ２は）、ヒンジ部１４の変形により、座シェル板８に対して（座１に対して）相対的に後傾動し得る。スリット１５は、その左右両端部が手前に延びる平面視Ｕ字形に形成されており、このため、ヒンジ部１４は座シェル板８の後端よりも手前に位置している。
【００２７】
図２，４に示すように、ベース６は概ね平面視四角形状で上下に開口した枠構造になっており、このため、リアメンバー６ａと、左右サイドメンバー６ｂとフロントメンバー６ｃとを有する。リアメンバー６ａの左右中間部に脚支柱取り付け穴１７が空いていると共に、リアメンバー６ａの後端部に後ろ向き張り出し部１８を形成し、この後ろ向き張り出し部１８に背支持フレーム７が左右横長のパイプ製支軸１９で回動可能に連結されている。
【００２８】
ベース６の後面と背支持フレーム７の下部前端との間のうち後ろ向き張り出し部２０の左右両側には、図１（Ｂ）から理解できるように空間が空いているが、この空間の間隔は、ロッキングによって背支持フレーム７が傾動した状態であっても一般成人の指よりも大きい寸法が保持される大きさに設定している。従って、仮に人がベース６と背支持フレーム７との間の隙間に指先を差し込んでも、指を挟まれることはない。なお、図６に示すように、ベース６のリアメンバー６ａは上向きに開口した中空状に形成されており、その内部にリブが形成されている。リアメンバー６ａの上面には、ベースカバー６ｄを装着している。
【００２９】
図２，４に示すように、ベース６の左右サイドメンバー６ｂには、前後長手のレール部材２０が前後スライド自在に装着されており、レール部材２０に座シェル板８が装着されている。レール部材２０は、これに内蔵したばね２１に抗して後退動する。
【００３０】
例えば図２（Ａ）に示すように、背支持フレーム７は、その下端を構成する左右横長の基部２２を有しており、この基部２２の左右中間部が、軸受けブラケット２３を介してベース６の後ろ向き張り出し部１８に支軸１９で連結されている。また、同じく図２（Ａ）から理解できるように、背支持フレーム７における基部２２の左右両端部には、レール部材２０の後端に設けた左右軸受け部２４の間に位置する上向きの軸受けリブ２５が突設されており、レール部材２０の軸受け部２４と背支持フレーム７の軸受けリブ２５とが、左右横長のピン２６で連結されている。
【００３１】
背支持フレーム７における基部２２の左右両端部には、やや後ろ向きに後退してから上向きに立ち上がった背支柱２７が一体に形成されており、背支柱２７の上端部に前向き突設したボス部２８に、上部背シェル板１０がねじ（ビス）２９で締結されている。
【００３２】
上部背シェル板１０の前面の下部には前向きに開口した左右横長の凹所３０が形成されており、凹所３０に金属製（鋼板製）で横長の補強板３１が嵌め込まれている。ねじ２９は、補強板３１に形成したバーリング部３２にねじ込まれている。従って、背支柱２７と上部背シェル板１０と補強板３１とが、ねじ（ビス）２９で共締めされている。
【００３３】
背支柱２７の上端には、左右外向きに曲がってから手前に延びる形状の肘本体３３が一体に形成されており、肘本体３３には、その上面の全体を覆う肘カバー３４が装着されている。肘カバー３４に、背支柱２７の上部を後ろから覆う下向きの後ろ壁３４ａが一体に形成されている。
【００３４】
(2).ベースと背支持フレームとの連結部
次に、図７以下の図面も参照して各部位の詳細を説明する。まず、ベース６と背支持フレーム７との連結部を説明する。
【００３５】
既述のとおり、背支持フレーム７は、その左右中間部が軸受けブラケット２３を介してベース６の後ろ向き張り出し部１８に連結されているが、図９（Ｂ）（Ｄ）に明示するように、背支持フレーム７の基部２２には、軸受けブラケット２３が左右ずれ不能に嵌まる凹所３６が形成されており、背支持フレーム７の基部２２に上から挿入したビス３７が、軸受けブラケット２３にねじ込まれている。支軸１９はベース６の後ろ向き張り出し部１８に設けた左右の軸受け部１８ａに貫通しており、背支持フレーム７の凹所３６によって左右抜け不能に保持されている。
【００３６】
図９（Ｄ）に示すよように、軸受けブラケット２３は上板と背面板とを有する逆Ｌ形で、かつ、背面板の下端には手前に向けて突出した規制片２３ａを有する。他方、ベース６における後ろ向き張り出し部１８の内部には、ロッキングによって軸受けブラケット２３が回動するとその規制片２３ａが当たる弾性支持体３８を嵌め込み装着している。弾性支持体３８は頭付きピン状の形態であり、左右２個配置している。
【００３７】
図１３（Ｂ）に示すうに、支軸１９は、軸受けブラケット２３の側板２３ａに貫通していると共に、ベース６における後ろ向き張り出し部１８の左右軸受け部１８ａに嵌まっているが、軸受けブラケット２３の側板２３ａ及びベース６の軸受け部１８ａには、樹脂製のブッシュ３９，４０が嵌まっている。
【００３８】
このように樹脂製のブッシュ３９，４０を使用すると、支軸１９の回転が滑らかになると共に擦れ音も防止できる利点があるが、支軸１９との相対動や軸受けブラケット２３及び軸受け部１８ａとの相対動により、ブッシュ３９，４０が擦れて樹脂粉が発生するおそれがある。そこで本実施形態では、軸受けブラケット２３の側板２３ｂの下端に、左右外向きに突出した粉受け片２３ｃを曲げ形成している。従って、仮に樹脂製のブッシュ３９，４０が擦れて粉が落ちても、その粉は粉受け片２３ｂに溜まるため、樹脂粉が床に落ちて美観を損なうような問題はない。なお、図２（Ｂ）には、粉受け片２３ｃは表示していない。
【００３９】
(3).支持機構部
次に、レール部材２０を中心にした支持機構部を説明する。図８，１０，１１に示すように、レール部材２０は板金製であって下向きに開口したチャンネル状（コ字状）の形態であり、座シェル板８には、レール部材２０を左右両側から囲う下向き規制リブ４１が左右一対ずつ設けられている。図１０（Ｂ）に示すように、下向き規制リブ４１には、レール部材２０に内外から近接する位置決めリブ４２を一体に設けており、かつ、レール部材２０に切り起こし形成した前後長手のストッパー片４３に、下向き規制リブ４１に形成した係合爪４４を下方から当てている。従って、座シェル板８はレール部材２０に対して上向き離脱不能に保持されていると共に、座シェル板８とレール部材２０とは若干ながら前後方向に相対動し得る。
【００４０】
図８に明示するように、レール部材２０の前端部には左右横長のガイドピン４５が前後動不能に挿通されており、ガイドピン４５は、ベース６のサイドメンバー６ｂに固定されたガイド体４６に形成しているガイド穴４７に挿通している。ガイド穴４７は前後長手の長穴になっており、このため、レール部材２０は座シェル板８と一緒に前後スライドし得る。
【００４１】
ガイド体４６の前部は、ベース６のサイドメンバー６ｂに突設した台錘形のボス体４８に嵌まっており、このボス体４８にビスで固定されている。従って、ガイド体４６の前部には、ボス体４８に嵌まる穴４９が下向きに開口している。また、ガイド体４６の下面には四角枠状の位置決め突起４６ａが形成されている一方、ベース６のサイドメンバー６ｂには、位置決め突起４６ａがきっちり嵌まる長方形の位置決め穴４６ｂが空いている。ベース６のサイドメンバー６ｂには、レール部材２０を外側からガードする前後長手の土手部５１が一体に形成されている。
【００４２】
レール部材２０を構成する左右側板２０ａ（例えば図８参照）の前端でかつ下端部には、若干の寸法のフロント突起５２を突設しており、かつ、フロント突起５２を含むレール部材２０の先端部の下面は、側面視で手前に行くに従って高さが高くなるフロント傾斜面５３になっている。他方、ガイド体４６には、レール部材２０のフロント突起５２が上下動不能に嵌まる左右のフロント係合溝５４が形成されている。かつ、フロント係合溝５４の下面はフロント傾斜面５３に重なる傾斜面になっており、フロント係合溝５４の上の部位には、側面視で手前に行くに従って高くなった傾斜ガイド面５５になっている。これらフロント突起５２等の意義は後述する。
【００４３】
例えば図８に示すように、レール部材２０のうち概ね前後中間部には前部ばね受け５０が取り付けられており、既に述べたばね（圧縮コイルばね）２１が前部ばね受け５０で手前側から支持されている。レール部材２０の側板２０ａのうち前部ばね受け５０を装着した部位には、後ろ側に向いて開口した切り開き部５６が形成されており、切り開き部５６の前端縁５６ａと後ろ側のストッパー片４３との間に、前部ばね受け５０の左右側面に突設した羽根片５７を下方から挿入している。羽根片５７は前向き突出部を有する平面視Ｌ形の形態であり、このため、前部ばね受け５０は左右ずれ不能に保持されている。
【００４４】
前部ばね受け５０の下面は正面視で下向き凸の湾曲面５０ａになっており、そこで、ベース６のサイドメンバー６ｂには、前部ばね受け５０の湾曲面５０ａに対応した上向き凹のガイド溝５８が形成されている。
【００４５】
ばね２１は、後部ばね受け６１で後ろから支持されている。後部ばね受け６１は下向きに開口した中空状の形態であり、ベース６のサイドメンバー６ｂに形成した支持突起６２に上から嵌まっている。従って、例えば樹脂製であっても前後ずれ不能に確実に保持される。また、後部ばね受け６１の下端には、内向きに突出したフランジ片６１ａが一体に形成されており、フランジ片６１ａはビスでベース６に固定されている。
【００４６】
なお、前後ばね受け５０，６１には、ばね２１をずれ不能に保持するテーパ状（台錘状）の突起を設けている。このため、組み立てに際してばね２１とばね受け５０，６１とは自動的に同心に保持される。後部ばね受け６１の手前には、脚支柱４のロックを解除するための昇降操作レバー６３を装着しているが、本願との直接の関係はないので説明は省略する。
【００４７】
既に説明したように、レール部材２０の後端部には軸受け部２４が形成されており、軸受け部２４は、連結ピン２６で背支持フレーム７の軸受けリブ２５に連結されている。この点は図７で明示されている。すなわち、図７に示すように、背支持フレーム７の軸受けリブ２５は平断面視内向き開口溝形（コ字形）になっており、その内部に樹脂製の補助軸受け６４を嵌め込み、軸受け部２４にはそれぞれブッシュ６５を嵌め込んでいる。また、レール部材２０の後端に、軸受けリブ２５の前面に近接した下向きストッパー片６６を曲げ形成している。
【００４８】
(4).レール部材による連結工程（組み立て工程）
次に、レール部材２０の取り付けを中心にした組み立て工程の一部を説明する。図１２から理解できるように、レール部材２０でベース６と背支持フレーム７とを連結するに当たっては、まず、ガイド体４６と後部ばね受け６１とをベース６に固定しておき、次いで、レール部材２０と前部ばね受け５０及びばね２１とをベース６にセットし、次いで、レール部材２０の前端部をガイドピン４５でガイド体４６に連結し、それから、レール部材２０の後端を連結ピン２６で背支持フレーム７の軸受けリブ２５に連結する。
【００４９】
さて、着座した人が背もたれ２に凭れ掛かると、背もたれ２はばね２１を圧縮変形させて後傾するが、ロッキングに際してばね２１が全く縮んでいない状態から縮み始めると、僅かの力でばね２１が縮むため、背もたれ２が急激に後傾して危険である。従って、ばね２１には初期荷重（プリテンション）を掛けておく必要がある。すなわち、レール部材２０をセットした状態で、ばね２１はある程度圧縮させておらねばならない。これについては、専用の治具を使用してレール部材２０を後ろに押した状態を保持しつつ、ガイドピン４５をガイド体４６に挿通することも可能であるが、これでは作業性が悪い。
【００５０】
これに対して本実施形態では、レール部材２０の先端に設けたフロント突起５２等の作用により、レール部材２０を下向きに押さえ付けるだけで、ばね２１を押し縮めた状態にしてレール部材２０をセットできる。
【００５１】
すなわち、ばね２１を後部ばね受け６１で支持した状態で、レール部材２０を下向きに押さえ付けると、ばね２１は伸び切った状態であるため、レール部材２０のフロント突起５２がガイド体４６の傾斜ガイド面５５に当たるが、フロント突起５２の下面も傾斜しているため、レール部材２０を下向きに強く押し付けると、傾斜面５３，５５のガイド作用により、レール部材２０はばね２１を押し縮めて後退しながら下降し、押し下げ切ると、フロント突起５２がばね２１の力で前進してフロント係合溝５４に嵌まり込む。
【００５２】
従って、本実施形態では、ばね２１にプリテンションが掛かった状態にレール部材２０はセットすることを、特別な治具を使用せずに簡単に実現できる。また、ガイドピン４５をガイド体４６に挿通すると、レール部材２０は抜け不能に保持されると共に、レール部材２０は、前端と後端とのいずれかを持ち上げようとしても起こし不能に保持されるため、連結ピン２６で背支持フレーム７の軸受けリブ２５に連結することも安全に行える。
【００５３】
上記のとおり、レール部材２０の取り付けに当たっては、正規の作業としては連結ピン２６による背支持フレーム７への連結が最後に行われるが、作業者のミスにより、先に連結ピン２６による連結を行ってから、レール部材２０を強引に後退させてベース６にセットすることが考えられる。この場合、ばね２１を圧縮させた状態でレール部材２０が上向きに回動すると、ばね２１の弾性力が一気に開放されて部材が飛び散るおそれがある。
【００５４】
この点については、既述のとおり、レール部材２０の後端に下向きのストッパー片６６を設けて対処している。すなわち、図７（Ｃ）に示す一点鎖線から理解できるように、仮にレール部材２０が連結ピン２６を中心にして跳ね上がり回動しようとしても、ストッパー片６６が軸受けリブ２５の前端に当接することで跳ね上がり回動はできないのであり、このため、仮に組み立ての手順を誤っても、部材が飛び散って危険な状態になることを防止できる。
【００５５】
(5).背もたれの構造
次に、背もたれ２の構造を説明する。例えば図２，３に示すように、下部背シェル板９の左右両側縁には、上向きに突出したサイドリブ６８が形成されており、サイドリブ６８の前端にヒンジ部１４が繋がっている。サイドリブ６８の補強効果により、下部背シェル板９は剛性が高くなっている。ヒンジ部１３は座シェル板８の後端より手前に位置しているので、サイドリブ６８も座シェル板８の後端より手前に延びている。
【００５６】
例えば図１４に示すように、下部背シェル板９と上部背シェル板１０との背面には、縦横に延びる多数の補強リブ６９が形成されており、補強リブ６９で囲われた多くの部位に窓穴７０が空いている。既述のとおり、上下の背シェル板９，１０には、その前面と裏面との両方にクッション１２，１１がインサート成形されているが、インサート成形に際して、樹脂材料は窓穴７０を通って背シェル板９，１０の裏に回り込む。
【００５７】
既述のとおり、上部背シェル板１０は、背もたれ２の全高のうち相当部分（７割程度）を構成している。上部背シェル板１０の下面と下部背シェル板９の上面とには、それぞれ重合部リブ板７１，７２が形成されており、上部背シェル板１０の下面には、左右中間部に位置したセンター係合突起７３と、左右両端部に位置したサイド係合突起７４と、センター係合突起７３とサイド係合突起７４との間に位置した中間位置決め突起７５とが下向きに突設されている。
【００５８】
一方、下部背シェル板９の上部には、センター係合突起７３が嵌まるセンターポケット部７６と、サイド係合突起７４が嵌まるサイドポケット部７７と、中間位置決め突起７５が嵌まる中間ポケット部７８とが上向きに開口した状態に形成されている。図１５に示すように、センター係合突起７３には斜め上向きに突出した係合爪７３ａが形成されており、これが、センターポケット部７６に設けたセンター係合穴７６ａに下方から引っ掛かり係合している。
【００５９】
同様に、サイド係合突起７４には斜め上向きに突出した係合爪７４ａが形成されており、この係合爪７４ａが、サイドポケット部７７に設けたサイド係合穴７７ａに下方から引っ掛かり係合している。センター係合突起７３は後ろ側に向けて倒れた姿勢であり、サイド係合突起７４は手前側に向けて倒れた姿勢である。
【００６０】
図１５（Ａ）に示すように、上部背シェル板１０と下部背シェル板９との間に間隔を空けた場合を想定して、サイド係合突起７４と下部背シェル板９との間隔寸法をＥ１、センター係合突起７３と下部背シェル板９との間隔寸法をＥ２、中間位置決め突起７５と下部背シェル板９との間隔寸法をＥ３とすると、Ｅ１＜Ｅ２＜Ｅ３の関係になっている。従って、各突起７３，７４，７５は、サイド係合突起７４、センター係合突起７３、中間位置決め突起７５の順で下部背シェル板９に嵌まり込む。
【００６１】
下部背シェル板９の重合部リブ板７２は、正面視でその中間部を含んだ相当範囲が下向きに凹んだ形状になっており、他方、上部背シェル板１０の重合部リブ板７１は、その左右中間部を含んだ相当範囲が下向きに突出した形状になっている。すなわち、上下背シェル板９，１０の合わせ面は凹凸状態になっている。そして、下部背シェル板９における重合部リブ板７２の凹部７２ａの内側面７２ｂは傾斜しており、中間ポケット部７８は、凹部７２ａの底面７２ｃと傾斜状内側面７２ｂとに跨がった状態に形成されている。他方、上部背シェル板１０における重合部リブ板７１の凸部７１ａの外側面７１ｂも傾斜しており、中間位置決め突起７５は、凸部７１ａの下面７１ｃと傾斜状外側面７１ｂとに跨がった状態に形成されている。
【００６２】
例えば図１６（Ａ）に示すように、上部背シェル板１０の下部は平面視で前向き凹状に凹んでおり、そこで、上部背シェル板１０の下部に配置された補強板３１も、平面視で前向き凹状に屈曲している。すなわち、補強板３１のうちその中間部を含むかなりの範囲は平面視で左右横長の直線状に延びる基部になっているが、左右両端寄りのある程度の範囲は手前側に曲がった傾斜部３１ａとなっており、更に、傾斜部３１ａの先端には、平面視で左右横長のエンド部３１ｂが形成されている。そして、エンド部３１ｂにバーリング部３２が前向き突設されており、バーリング部３２に形成した雌ねじに、ねじ２９が後ろからねじ込まれている。
【００６３】
図１４〜１６に示すように、上部背シェル板１０には、背支柱２７のボス部２８が嵌まる受け座７９が形成されている。また、背支柱２７のうちボス部２８の箇所の背面には、ねじ２７の頭が入り込む座ぐり穴８０が形成されている。そして、座ぐり穴８０及びねじ２７の頭は、肘カバー３４の後ろ壁３４ａで覆われている。このため、美観の悪化を防止できる。
【００６４】
図２（Ａ）に示すように、背支柱２７の前面のうち上下略中間高さ位置には、側面視で上向き鉤状の下部係合爪８１を突設している。他方、図９（Ａ）に示すように、下部背シェル板９の裏面には、下部係合爪８１に上から嵌まり込む上向き開口のポケット状の下部受け部８２を形成している。従って、下部背シェル板９も背支柱２７に前後離反不能に連結されている。下部背シェル板９と背支柱２７とはビスで締結することも可能であるが、本実施形態のように係合爪８１と受け部８２とからなる嵌合式の係合手段を採用すると、組み立てが簡単であると共に背支柱２７の背面がすっきりする利点がある。
【００６５】
(6).クッション・表皮材
次に、クッション１１，１２と表皮材１３とを補足説明する。既述のとおり、上部背シェル板１０と下部背シェル板９とは凹凸を持って噛み合っているが、上下のクッション１１，１２も、上下背シェル板９，１０の形状に揃っているため凹凸を持って噛み合っている。また、既述のとおり、座シェル板８と下部背シェル板９とが、下部クッション１１で一体に覆われている。すなわち、スリット１５を跨がった状態で、下部クッション１１が前後に広がっている。
【００６６】
表皮材１３の大まかな展開図を図１３（Ｃ）で示している。表皮材１３は、座１の部分を構成する平シート部１３ａと、背もたれ２の部分を構成する袋状部１３ｂとが一体に連続している。平シート部１３ａの前端縁と左右両端縁と袋状部１３ｂの下端縁とには、それぞれ樹脂シート製の細長い縁部材８６が縫着等によって固定されている。縁部材８６には飛び飛びで複数個の穴８７が空いている一方、座シェル板８の下面には、縁部材８６の穴８７が入り込む鉤状の係合爪８８を突設している。
【００６７】
表皮材１３も背座一体方式であり、座１を構成する部分と背もたれ２を構成する部分とが側面視で屈曲しているため、弛みを生じやすい。そこで、表皮材１３のうち座１と背もたれ２との接続部に位置した箇所と背もたれ２の上部に位置した部位とに、それぞれ引き込み用シート材８９を縫着等で固定し、これを下部背シェル板１０に取り付けている。従って、引き込み用シート材８９を設けている箇所では、クッション１１，１２には切り込みが形成されている。
【００６８】
図１７（Ｂ）（Ｃ）に示すように、上部背シェル板１０には、引き込み用シート材８９が表面側から挿入される横長溝９０（図２（Ａ）も参照）を形成しており、横長溝９０に、引き込み用シート材８９に設けた穴９１に嵌まる係合爪９２を設けている。
【００６９】
図１６（Ｂ）に示すように、表皮材１３には、受け座７９に嵌まるリング状樹脂板８３を縫着等で一体に設けている。このため、表皮材１３は正確に位置決めされている。なお、図１６（Ａ）ではリング状樹脂板８３は表示していないが、実際には、受け座７９とボス部２８との間にリング状樹脂板８３及び表皮材１３が介在している。
【００７０】
(7).まとめ
図６及び図１８から容易に理解できるように、着座した人が背もたれ２にもたれ掛かると、背もたれ２はばね２１に抗して支軸１９を中心に後傾すると共に、座１は、連結ピン２６で後ろに引っ張られて後退動する。この場合、座１の後端と下部背シェル板９の前端との間にスリット１５が形成されているため、下部背シェル板９は座シェル板８の後端に対して下降動することが許容されており、これにより、背もたれ２のロッキングが支障なく行われる。特に、ヒンジ部１４は座シェル板８の後端よりかなり手前に位置しているため、背もたれ２の後傾動が無理なく行われる。
【００７１】
本実施形態では、レール部材２０と背支持フレーム７との連結部である連結ピン２６は、支軸１９の軸心から真上に伸びる中心線Ｏのやや手前に位置しているが、ロッキングに際して、連結ピン２６は中心線Ｏを挟んだ前後対称の位置に移動するように設定している。このため、ロッキングに際してレール部材２０の後端が上下動する寸法は最低限に抑えられる。その結果、レール部材２０と前後ばね受け５０，６１との間に上下動を許容するための特別の手段を講じることなく、レール部材２０と前後ばね受け５０，６１との間でのガタの範囲内で、レール部材２０の後退動を可能にできる。
【００７２】
つまり、背支持フレーム７の後傾動によって連結ピン２６は上下方向に移動するが、ガイドピン４５の高さ位置は一定であるため、仮に連結ピン２６の上下動寸法が大きいと、レール部材２０は姿勢を大きく変化させながら後退するため、前後ばね受け５０，６１もレール部材２０と一緒に上下動させるといった手段を講じなければならないおそれが生じ、すると構造が複雑化することになるが、本実施形態では、ロッキングに際しての連結ピン２６の上下動寸法はごく僅かであるため、レール部材２０の姿勢変化は当該レール部材２０と前後ばね受け５０，６１との間のクリアランスによって吸収されるのであり、従って、構造を複雑化することなくロッキング機能を確保できるのである。
【００７３】
ガイドピン４５はガイド穴４７の内部をスライドするが、ロッキングに際してガイドピン４５がガイド穴４７の後端に衝突すると、着座者の身体に衝撃がかかったり、衝突音が発生して不快感を与えたりするおそれがある。他方、図９（Ｃ）（Ｄ）を引用して説明したように、ベース６の後ろ向き張り出し部１８に弾性支持体３８を設けて軸受けブラケット２３の規制片２３ａが当たるように設定しているが、ガイドピン４５が後退し切る前に規制片２３ａが弾性支持体３８に当たってロッキングが停止するように設定している。このため、衝撃や衝突音の発生を防止できる。
【００７４】
クッションは座シェル板８と下部背シェル板９との間で分離することも可能であるが、この場合は、椅子を使用しているうちに上下背シェル板９，１０の境界に厚さ方向のずれ（段差）が発生して体裁が悪くなるおそれがある。これに対して本実施形態では、下部クッション１１は、座シェル板８と下部背シェル板９とに跨がった状態に形成されているため、使用し続けても座１と背もたれ２との境界部に段差が発生することはなくて、品質に優れている。
【００７５】
クッション１１，１２はシェル板８，９，１０にインサート成形されるので、補強板３１は予め上部背シェル板１０に装着している。この場合は、補強板３１は、上部背シェル板１０に設けた突起と補強板３１に設けた穴との嵌め合わせにより、正確に位置決めされている。また、図１６（Ｂ）を参照して説明したように、表皮材１３に、上部背シェル板１０の受け座７９に嵌まるリング状樹脂板８３を一体に設けているため、表皮材１３の後部は上部背シェル板１０に正確に位置決めされる。
【００７６】
上部背シェル板１０と下部背シェル板９とを凹凸を持って重ね合わせると、上下背シェル板１０，９は高さを変えた位置で連結されるため、連結強度を向上できる利点がある。この場合、上下背シェル板１０，９を連結するにおいて係合突起等の本数を多くすると連結強度を向上できるが、各係合突起等が一斉に下部背シェル板９に一斉に嵌まる構成であると、位置決めしにくくなる場合がある。これに対して、図１５（Ａ）を参照して説明したように、Ｅ１＜Ｅ２＜Ｅ３の関係に設定すると、左右２本のサイド係合突起７３を嵌め込むと他の突起７４，７５は自動的に位置決めされるため、連結作業を容易に行える。
【００７７】
また、本実施形態では、下部背シェル板９は、下部係合爪８１と下部受け部８２との嵌合によって背支柱２７に連結されているため、取り付け強度が高い。また、座シェル板８はレール部２０に上からの押し込みで取り付けるものであるため、椅子の組み立ての能率を格段に向上できる。
【００７８】
さて、図１７（Ａ）に矢印Ａで示すように、引き込み用シート材８９による引っ張りによって、下部クッション１１にもテンションが掛かる。この場合、図１７（Ａ）に一点鎖線９４で示すように、上下クッション１１，１２の境界面を一直線状に形成していると、引き込み用シート材８９の引っ張りによって下部クッション１１の左右端部が下向きに引かれる現象が発生して表皮材１３との間に隙間が空き、このため、表皮材１３に皺が発生して凹みが発生したりすることがある。
【００７９】
この点、実施形態のように下部クッションの左右側部を上向き突出させると、引き込み用シート材８９の引っ張りによって下部クッション１１の左右側部１１ａに引っ張り力が作用しても、下部クッション１１の左右側部は変形しにくくなるため、視認できるほどの変形は発生せず、このため体裁がよい。なお、引き込み用シート材８９の周囲の箇所で表皮材１３は強く引っ張られるため皺がよりやすいが、この皺の発生は、引き込み用シート材８９の周囲の箇所にウレタンテープを貼ることで解消できる（変形しにくくして、表皮材１３の追従変形を抑制する。）。
【００８０】
(8).その他
本願発明は、上記の実施形態の他にも様々に具体化できる。例えば、座シェル板と背シェル板とは全体を一体構造にしても良いし、逆に、シェル板を３つ以上に分割することも可能である。また、本願発明は、ロッキングに際して座が後退しないタイプや、ロッキングに際して座が後退しつつ後傾するタイプにも適用できる。
【００８１】
ベースや背支持フレームなどを種々の形状に変更できる。シェル板を複数に分割した場合の連結手段としては、実施形態のように突起とポケット部（嵌合穴）との組み合わせに限らず、例えば双方に嵌まる連結棒や連結板を使用することも可能である。突起とポケット部（嵌合穴）との組み合わせを採用する場合、その位置関係は任意に設定できる（それぞれのパーツに突起とポケット部とを形成することも可能である。）。
【産業上の利用可能性】
【００８２】
本願発明の実施品は、実際に製造可能である。従って、産業上利用できる。
【符号の説明】
【００８３】
１  座
２  背もたれ
３  身体受け部
６  ベース
７  背支持フレーム
８  座シェル板
９  下部背シェル板
１０  上部背シェル板
１１  下部クッション
１２  上部クッション
１３  表皮材
１４  ヒンジ部
１５  スリット
１９  支軸
２０  レール部材
２１  ばね
２３  軸受けブラケット
２６  連結ピン
４５  ガイドピン
４６  ガイド体
６８  サイドリブ
【図１】
0005863351.tif 000002
【図２】
0005863351.tif 000003
【図３】
0005863351.tif 000004
【図４】
0005863351.tif 000005
【図５】
0005863351.tif 000006
【図６】
0005863351.tif 000007
【図７】
0005863351.tif 000008
【図８】
0005863351.tif 000009
【図９】
0005863351.tif 000010
【図１０】
0005863351.tif 000011
【図１１】
0005863351.tif 000012
【図１２】
0005863351.tif 000013
【図１３】
0005863351.tif 000014
【図１４】
0005863351.tif 000015
【図１５】
0005863351.tif 000016
【図１６】
0005863351.tif 000017
【図１７】
0005863351.tif 000018
【図１８】
0005863351.tif 000019